(57)【要約】【課題】水道本管からの水道水の供給が途絶えた非常時に、貯め置いた水を非常時であることを意識して通常時に用いる蛇口を開いて利用できる貯水装置を提供すること。【解決手段】水道水を水道本管５から取り入れる取水路１０と、複数のパイプ２１と連接具２２、２３とを備えて水道水が内部を巡回するように貯水する貯水ユニット２０と、蛇口６に連結され、貯水された水道水を貯水された順に蛇口６に供給できるように設けられた供水路３０と、供水路３０と取水路１０とを連結する連結路４０と、水道水の逆流を阻止する取水路の逆止弁５０と、水道本管５からの水道水の供給が行われている通常時に閉じ、水道本管５からの水道水の供給が途絶えた非常時に開口するように切り替えることができる水路切替部６０と、貯水ユニット２０内に貯留された水道水が流下できるように内部に外気を取り入れることができる空気取入部７０とを具備する。【選択図】図１
2015001136.tif 000002
【特許請求の範囲】
【請求項１】
水道水を水道本管から取り入れる取水路と、
該取水路に連結され、複数のパイプと該パイプを連接する連接具とを備えて該取水路に取り入れられた水道水が淀みを作ることなく内部を巡回するように貯水する貯水ユニットと、
該貯水ユニットに連結されると共に、該貯水ユニットの下側に配された蛇口に連結され、貯水された水道水を貯水された順に該蛇口に供給できるように設けられた供水路と、
該供水路と前記取水路とを、前記貯水ユニットを通さないで連結する連結路と、
該連結路よりも前記水道本管側の前記取水路に設けられて水道水の逆流を阻止する取水路の逆止弁と、
前記連結路において前記水道本管からの水道水の供給が行われている通常時に閉じ、該水道本管からの水道水の供給が途絶えた非常時に開口するように切り替えることができる水路切替部と、
該貯水ユニットの最上部又は該最上部よりも上側の水路に設けられ、前記非常時には前記貯水ユニット内に貯留された水道水が流下できるように内部に外気を取り入れることができる空気取入部とを具備することを特徴とする貯水装置。
【請求項２】
前記貯水ユニットは、複数のパイプと、該パイプを該パイプの両端部のそれぞれで連接する連接具と、前記取水路を連結する部位と、前記供水路を連結する部位とを備え、
該連接具は、該複数のパイプがそれぞれ一本ずつ嵌合する管状孔を備えた板状孔ブロックと、該嵌合されたパイプを通して一つの前記管状孔から流れてくる水道水を該一つの管状孔と並設された他の一つの該管状孔から逆方向へ流すための溝部が形成された板状溝ブロックとが重ねられて一体化されていることで、並設された一対の前記パイプを単位とする各並設流路構成について水道水が逆方向へ流れるための方向転換通水路が形成されるように設けられ、複数の前記並設流路構成によって水道水がジグザグに流れることを特徴とする請求項１に記載の貯水装置。
【請求項３】
前記供水路が、前記貯水ユニットの水路の最上部よりも上方又は同等の高さを通る最上部の水路部を備え、該最上部の水路部に前記空気取入部が設けられていることを特徴とする請求項１又は２に記載の貯水装置。
【請求項４】
前記空気取入部には、前記非常時には開口して外気を取り入れることができ、前記通常時には閉じている大気開放用の逆止弁が備えられていることを特徴とする請求項１〜３のいずれかに記載の貯水装置。
【請求項５】
前記取水路の内径と前記パイプの内径と前記供水路の内径との大きさが実質的に同等であることを特徴とする請求項１〜４のいずれかに記載の貯水装置。
【発明の詳細な説明】
【技術分野】
【０００１】
この発明は、常に新鮮な状態に保たれた水道水を一定量貯め置くことができる貯水装置に関する。
【背景技術】
【０００２】
水は生活を営むうえで無くてはならないものであるが、大きな災害が起きると水道管からの供給がストップしてしまうことがある。このため、飲料用の非常用水を災害時の自衛手段として確保しておく必要がある。そこで、これまでに一定量の水道水を貯め置くための技術が提案されている（特許文献１）。
【０００３】
この発明によれば、水道水の使用によって順次水が流れ、死水のない状態で、これら管状部材によって構成される貯水流路に水が常時確保されている。非常時には、下方の給水用カランを開くことにより、空気弁が開くため、各管状部材の底部近傍から水が流下し、これら管状部材内に蓄えられた水を全て使用できる、とするものである（要約、解決手段参照）。
【０００４】
上記発明では、貯水流路内の水が欲しい場合、単に給水カランを開くのみで管状部材内の水をほとんど全て流出させることができるとする（段落［００３２］参照）。
【０００５】
しかしながら、水道本管からの水道水の供給が途絶えた非常時に、カランを開くだけで管状部材内の水を流出させると水道水の供給が行われている通常時と区別がつかず、大事に使うべき水であることを知らずに消費してしまうおそれがある。
【先行技術文献】
【特許文献】
【０００６】
【特許文献１】特願平９−１９５３２９号公報
【発明の概要】
【発明が解決しようとする課題】
【０００７】
本発明は、上記のような事情に鑑みてなされたものであり、水道本管からの水道水の供給が途絶えた非常時に、貯め置いた水を非常時の切り替え操作を介して通常時に用いる蛇口を開いて利用できる貯水装置を提供することを目的とする。
【課題を解決するための手段】
【０００８】
本発明にかかる貯水装置の一形態によれば、水道水を水道本管から取り入れる取水路と、該取水路に連結され、複数のパイプと該パイプを連接する連接具とを備えて該取水路に取り入れられた水道水が淀みを作ることなく内部を巡回するように貯水する貯水ユニットと、該貯水ユニットに連結されると共に、該貯水ユニットの下側に配された蛇口に連結され、貯水された水道水を貯水された順に該蛇口に供給できるように設けられた供水路と、該供水路と前記取水路とを、前記貯水ユニットを通さないで連結する連結路と、該連結路よりも前記水道本管側の前記取水路に設けられて水道水の逆流を阻止する取水路の逆止弁と、前記連結路において前記水道本管からの水道水の供給が行われている通常時に閉じ、該水道本管からの水道水の供給が途絶えた非常時に開口するように切り替えることができる水路切替部と、該貯水ユニットの最上部又は該最上部よりも上側の水路に設けられ、前記非常時には前記貯水ユニット内に貯留された水道水が流下できるように内部に外気を取り入れることができる空気取入部とを具備する。
【０００９】
また、本発明にかかる貯水装置の一形態によれば、前記貯水ユニットは、複数のパイプと、該パイプを該パイプの両端部のそれぞれで連接する連接具と、前記取水路を連結する部位と、前記供水路を連結する部位とを備え、該連接具は、該複数のパイプがそれぞれ一本ずつ嵌合する管状孔を備えた板状孔ブロックと、該嵌合されたパイプを通して一つの前記管状孔から流れてくる水道水を該一つの管状孔と並設された他の一つの該管状孔から逆方向へ流すための溝部が形成された板状溝ブロックとが重ねられて一体化されていることで、並設された一対の前記パイプを単位とする各並設流路構成について水道水が逆方向へ流れるための方向転換通水路が形成されるように設けられ、複数の前記並設流路構成によって水道水がジグザグに流れることを特徴とすることができる。
【００１０】
また、本発明にかかる貯水装置の一形態によれば、前記供水路が、前記貯水ユニットの水路の最上部よりも上方又は同等の高さを通る最上部の水路部を備え、該最上部の水路部に前記空気取入部が設けられていることを特徴とすることができる。
また、本発明にかかる貯水装置の一形態によれば、前記空気取入部には、前記非常時には開口して外気を取り入れることができ、前記通常時には閉じている大気開放用の逆止弁が備えられていることを特徴とすることができる。
【００１１】
また、本発明にかかる貯水装置の一形態によれば、前記取水路の内径と前記パイプの内径と前記供水路の内径との大きさが実質的に同等であることを特徴とすることができる。
【発明の効果】
【００１２】
本発明にかかる貯水装置によれば、水道本管からの水道水の供給が途絶えた非常時に、貯め置いた水を非常時の切り替え操作を介して通常時に用いる蛇口を開いて利用できるという特別有利な効果を奏する。
【図面の簡単な説明】
【００１３】
【図１】本発明にかかる貯水装置の全体の概要を示す図である。
【図２】本発明にかかる貯水装置の水の流れを示す図であって、（ａ）は通常時の水の流れであり、（ｂ）は非常時の水の流れである。
【図３】貯水ユニットの一例を示す斜視図である。
【図４】図３に示す貯水ユニットの分解斜視図である。
【図５】図３に示す板状孔ブロックを連接されるパイプの中央部側から見た状態を示す正面図である。
【図６】図３に示す板状溝ブロックを連接されるパイプの中央部側から見た状態を示す正面図である。（ａ）が取水路を連結する部位と供水路を連結する部位を有する板状溝ブロックであり、（ｂ）が（ａ）と対峙する側の板状溝ブロックである。
【図７】図３に示す貯水ユニットを、取水路を連結する部位と供水路を連結する部位の位置で、長手方向に縦に切断した状態を示す断面図である。
【図８】図３に示す貯水ユニットを、図７におけるＡ−Ａ部で切断した状態を示す断面図である。
【図９】図３に示す貯水ユニットの中を流れる通常時の水の流れを示す状態図である。
【図１０】パイプを６４本連接した状態の貯水ユニットを示す斜視図である。
【図１１】図１０に示す板状孔ブロックを連接されるパイプの中央部側から見た状態を示す正面図である。
【図１２】図１０に示す板状溝ブロックを連接されるパイプの中央部側から見た状態を示す正面図である。（ａ）が取水路を連結する部位と供水路を連結する部位を有する板状溝ブロックであり、（ｂ）が（ａ）と対峙する側の板状溝ブロックである。
【発明を実施するための形態】
【００１４】
以下、本発明にかかる貯水装置の実施形態を添付図面（図１〜図１２）に基づいて詳細に説明する。
【００１５】
この貯水装置は、台所やトイレなどで使用されるものである。図１に示すように、水道水を水道本管５から取り入れる取水路１０と、貯水ユニット２０と、供水路３０と、連結路４０と、取水路の逆止弁５０と、水路切替部６０と、空気取入部７０とを備えている。
【００１６】
この貯水装置は、図２（ａ）に示すように、水道本管５からの水道水の供給が行われている通常時においては、水道本管５から取り入れた水道水を取水路１０、貯水ユニット２０、供水路３０を経て蛇口６の開閉によって供給する。一方、図２（ｂ）に示すように、水道本管５からの水道水の供給が途絶えた非常時においては、この貯水装置は、貯水ユニット２０に貯水された水道水を取水路１０、連結路４０を経て蛇口６の開閉によって供給する。
【００１７】
取水路１０は、水道水を水道本管５から取り入れて貯水ユニット２０に通水する。水道本管５から水道水の供給が行われている通常時において水道水は水道本管５の水圧によって取水路１０から貯水ユニット２０に運ばれる。なお、取水路１０には逆止弁５０が取り付けられている。この逆止弁５０は、後述する連結路４０よりも水道本管５側の取水路１０に設けられて水道水の逆流を阻止する。水道水の元栓が閉じられていない限り、水道水は水圧によって水道本管５から取水路１０に取り入れられる。なお、この逆止弁５０は、水道本管５からの水路について一般的に既設の構成として設けられているもので、これを好適に利用することができる。
【００１８】
貯水ユニット２０は、図３に示すように、取水路１０に連結され、複数のパイプ２１とそれらのパイプ２１を連接する連接具２２、２３とを備えて取水路１０に取り入れられた水道水が淀みを作ることなく内部を巡回するように貯水する。また、貯水ユニット２０は、取水路１０を連結する部位２４と、供水路３０を連結する部位２５とを備えている。ここでは、説明の便宜上、貯水ユニット２０を構成する複数のパイプ２１が４本である場合について説明する。なお、貯水ユニット２０は、図１０に示すように、例えば６４本のパイプを連接して構成して水道水の貯水量を増加することも可能である。さらに、複数の貯水ユニット２０を連結して、大型の貯水ユニットとすることも可能である。また、複数のパイプ２１及び連接具は、硬質塩化ビニール（ＶＰ）を用いて押し出し成形や打ち抜き、型成形などによって容易に製造することができる形態になっている。
【００１９】
図３及び図４に示すように、４本のパイプ２１ａ、２１ｂ、２１ｃ、２１ｄは、いずれも同じ径で構成された同一形状であり、水平方向に２本、高さ方向に２本併設される。４本のパイプ２１ａ、２１ｂ、２１ｃ、２１ｄは、それぞれ両端部がテーパ状にすぼまるように外面に円錐台形状の傾斜面２１１（他のパイプも同様のため符号を省略）を形成している。なお、各パイプの長さは、作図スペースの関係上便宜的に、短く設定された形態例のものとなっているが、これに限定されないのは勿論である。
【００２０】
連接具２２、２３は、パイプ２１ａ、２１ｂ、２１ｃ、２１ｄをそれらの両端において連接する。連接具２２は、板状孔ブロック２２１と板状溝ブロック２２２とが重ねられて一体化されている。同様に、連接具２３は、板状孔ブロック２３１と板状溝ブロック２３２とが重ねられて一体化されている。
【００２１】
板状孔ブロック２２１、２３１は、いずれも同一形状であり、図５に示すように、それぞれ４本のパイプ２１ａ、２１ｂ、２１ｃ、２１ｄが、それぞれのパイプについて一本ずつ嵌合する４つの管状孔２２１Ｈ（２３１Ｈ）を備えている。この板状孔ブロック２２１、２３１に備えた管状孔２２１Ｈ（２３１Ｈ）が４本のパイプ２１ａ、２１ｂ、２１ｃ、２１ｄの両端部のそれぞれで連接する。
【００２２】
管状孔２２１Ｈ（２３１Ｈ）はそれぞれ同一形状の４本のパイプ２１ａ、２１ｂ、２１ｃ、２１ｄの傾斜面２１１に対応するように同じ角度の傾斜面２２１Ｋ（２３１Ｋ）（他の３つの管状孔についても同様のため符号を省略）を形成している。これにより、４本のパイプ２１ａ、２１ｂ、２１ｃ、２１ｄの傾斜面２１１と管状孔２２１Ｈ（２３１Ｈ）とは傾斜面同士で密着する。さらにその傾斜面に接着剤を用いることや、シール材、ゴムパッキン、ソニックウェルドなどを用いることで嵌合状態及び水密シールを強固なものにすることができる。なお、管状孔２２１Ｈ（２３１Ｈ）に傾斜面２２１Ｋ（２３１Ｋ）を形成しない板状孔ブロック（図示せず）を、長尺のパイプ２１ａ、２１ｂ、２１ｃ、２１ｄの長手方向の中間部などに備えて、その長尺のパイプ２１ａ、２１ｂ、２１ｃ、２１ｄの湾曲を防ぎ、強度を保つことも可能である。
【００２３】
板状溝ブロック２２２、２３２は、図６に示すように、嵌合されたパイプ２１ａ、２１ｂ、２１ｃ、２１ｄを通して一つの管状孔２２１Ｈ（２３１Ｈ）から流れてくる水道水を一つの管状孔２２１Ｈ（２３１Ｈ）と並設された他の一つの管状孔２２１Ｈ（２３１Ｈ）から逆方向へ流すための溝部２２２Ｍ、２３２Ｍが形成されている。
【００２４】
この溝部２２２Ｍ、２３２Ｍは、長円形状の輪郭をなしている。図７及び図８に示すように、水流が滑らかに流れて淀みが出来ないように半円形状の縁から溝部２２２Ｍ、２３２Ｍの底に向かう面２３２Ｍ１の曲率を大きくすることができる。一方、直線状の縁から溝部２２２Ｍ、２３２Ｍの底に向かう面は略平面状として水の流水量を確保するように形成することができる。
【００２５】
これらの管状孔２２１Ｈ（２３１Ｈ）を備えた板状孔ブロック２２１、２３１と、溝部２２Ｃ、２３Ｃが形成された板状溝ブロック２２２、２３２とが重ねられて一体化されていることで、図９に示すように、並設された一対のパイプ、すなわち、２１ａと２１ｄ、２１ｄと２１ｃ、２１ｃと２１ａのそれぞれの組み合わせを単位とする各並設流路構成が形成される。この各併設流路構成について、水道水が逆方向へ流れるためのコ字状の方向転換通水路Ｓが形成されるように設けられる。これにより、単純な形状の組み合わせだけで複数の前記並設流路構成によって水道水が貯水ユニット２０内をジグザグに流れるようにすることができる。
なお、板状孔ブロック２２１、２３１と板状溝ブロック２２２、２３２とが重ねられて一体化させる際に、接着剤の他、シール材、ゴムパッキンなどを用いて密着させることもできる。
【００２６】
供水路３０は、供水路３０を連結する部位によって貯水ユニット２０に連結されると共に、貯水ユニット２０の下側に配された蛇口６に連結される。これにより、貯水された水道水を貯水ユニット２０に貯水された順に蛇口６に供給できるように設けられている。
また、本形態例では、供水路３０が、貯水ユニット２０の水路の最上部よりも上方又は同等の高さを通る最上部の水路部３１を備え、その最上部の水路部３１に空気取入部７０が設けられている。さらに、取水路１０が貯水ユニット２０の最下部の水路の部分に連結され、貯水ユニット２０の最上部の水路の部分に供水路３０が連結された構成になっている。
【００２７】
連結路４０は、供水路３０と取水路１０とを、貯水ユニット２０を通さないで連結する。この連結路４０は、非常時において貯水ユニット２０に貯留された水道水を貯水ユニット２０の取水路１０を連結する部位を経て流下させる。
【００２８】
水路切替部６０は、連結路４０において水道本管５からの水道水の供給が行われている通常時に閉じ、水道本管５からの水道水の供給が途絶えた非常時に開口するように開閉弁などを用いて切り替えることができる。これにより非常時であることが判明した後に水路を切り替える動作を行うことで、貯め置いた水を非常時であることを意識して通常時に用いる蛇口６を開いて利用することができる。
また、この水路切替部６０は、通常時において、完全に閉じないで連結路４０へ少量の水道水を流すように、わずかに開口した状態で使用することができる。これによれば、通常時において大部分の水道水は貯水ユニット２０を通過することになるが、この通常時においても、連結路４０を常に少量の水道水が流れることになり、連結路４０内の水道水が死水になることを防止できる。
【００２９】
空気取入部７０は、図１及び図２に示すように、貯水ユニット２０の最上部又はその最上部よりも上側の水路、この形態例では供水路３０に設けられ、非常時には貯水ユニット２０内に貯留された水道水が流下できるように貯水ユニット２０又は供水路３０の内部に外気を取り入れることができる。また、供水路３０に空気を取り入れることで、空気取入部７０と蛇口６との間の水路に存在する水道水も蛇口６を開いて利用することができる。
【００３０】
本形態例の空気取入部７０では、非常時には開口して外気を取り入れることができ、通常時には閉じている大気開放用の逆止弁が備えられている。内部から水圧のかかる通常時には閉じているので供水路３０の水は貯水ユニット２０から蛇口６に向けて途切れることなく貯水された順に供給することができる。なお、空気取入部７０は、逆止弁によることなく、手動で開閉できる開閉弁を用い、非常時に開放することもできる。これによっても、非常時に貯水ユニット２０の水道水を適切に利用できる。
【００３１】
また、取水路１０の内径と前記パイプ２１ａ、２１ｂ、２１ｃ、２１ｄの内径と供水路３０の内径との大きさが実質的に同等であるようにすることで、水道水の流れに淀みを生じないようにより滑らかに水道水を流すことができる。
【００３２】
図１０乃至図１２は、複数のパイプ８１を縦横に８本ずつ、合計６４本併設した場合の貯水ユニット２０の全体形状、板状孔ブロック８２１（８３１）の構成及び板状溝ブロック８２２、８３２を示すものである。このように、複数のパイプ８１の本数及び縦横の本数に差を設けて、板状孔ブロック８２１（８３１）及び板状溝ブロック８２２、８３２の大きさを変化させることで貯水する水の量や貯水ユニット２０を設置する場所に対応させることができる。また、貯水ユニット２０を複数重ねて用いることもできる。
【００３３】
本貯水装置は、台所やトイレの収納棚の中や天井裏、壁内部などに設置することができる。設置する際には、外側を発泡ウレタン及び板材などの強度のある部材で覆い、水道水の凍結を防ぐなどの断熱性を高めたり、破損を防ぐことができる。
【００３４】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３５】
５    水道本管
６    蛇口
１０  取水路
２０  貯水ユニット
２１  複数のパイプ
２１ａ、２１ｂ、２１ｃ、２１ｄ  パイプ
２１１  傾斜面
２２、２３  連接具
２２１、２３１  板状孔ブロック
２２１Ｈ、２３１Ｈ  管状孔
２２１Ｋ、２３１Ｋ  傾斜面
２２２、２３２  板状溝ブロック
２２２Ｍ、２３２Ｍ  溝部
２４  取水路を連結する部位
２５  供水路を連結する部位
３０  供水路
３１  最上部の水路部
４０  連結路
５０  取水路の逆止弁
６０  水路切替部
７０  空気取入部
８０  貯水ユニット
８１  複数のパイプ
８２、８３  連接具
８２１、８３１  板状孔ブロック
８２１Ｈ、８３１Ｈ  管状孔
８２１Ｋ、８３１Ｋ  傾斜面
８２２、８３２  板状溝ブロック
８２２Ｍ、８３２Ｍ  溝部
Ｓ  方向転換通水路
【図１】
2015001136.tif 000003
【図２】
2015001136.tif 000004
【図３】
2015001136.tif 000005
【図４】
2015001136.tif 000006
【図５】
2015001136.tif 000007
【図６】
2015001136.tif 000008
【図７】
2015001136.tif 000009
【図８】
2015001136.tif 000010
【図９】
2015001136.tif 000011
【図１０】
2015001136.tif 000012
【図１１】
2015001136.tif 000013
【図１２】
2015001136.tif 000014